【手続補正書】
【提出日】平成20年5月22日(2008.5.22)
【手続補正１】
【補正対象書類名】明細書
【補正対象項目名】特許請求の範囲
【補正方法】変更
【補正の内容】
【特許請求の範囲】
【請求項１】  微量流体ネットワークであって、
少なくとも第１及び第２の相互流体接続されていない流体流路を含むポリマー構造物を備え、少なくとも該第１流路が該ポリマー構造物内に一連の相互接続されたチャネルを備え、該一連の相互接続されたチャネルが、該構造物の第１段内に配置された少なくとも１つの第１チャネルと、該構造物の第２段内に配置された少なくとも１つの第２チャネルと、該第１チャネル及び該第２チャネルを相互流体接続する少なくとも１つの接続チャネルとを備え、
該構造物内の少なくとも１つのチャネルが約５００μｍを超えない断面寸法を有し、
該構造物が、該構造物の該第１段内に配置されて該構造物の該第２段内に配置された少なくとも１つのチャネルと非平行の少なくとも１つのチャネルを含む、微量流体ネットワーク。
【請求項２】  請求項１に記載の微量流体ネットワークにおいて、
該第１及び第２流路のそれぞれが該ポリマー構造物内に一連の相互接続されたチャネルを備え、かつ各一連の相互接続されたチャネルが、該構造物の第１段内に配置された少なくとも１つの第１チャネルと、該構造物の第２段内に配置された少なくとも１つの第２チャネルと、該第１チャネル及び該第２チャネルを相互流体接続する少なくとも１つの接続チャネルとを含む、微量流体ネットワーク。
【請求項３】  請求項１に記載の微量流体ネットワークにおいて、
該構造物の該第２段内に配置された該第１流路の少なくとも１つの第２チャネルが、該構造物の該第１段内に配置された該第１流路の少なくとも１つの第１チャネルと非平行である、微量流体ネットワーク。
【請求項４】  請求項１に記載の微量流体ネットワークにおいて、
該第１流体流路の少なくとも１つのチャネルが該第２流体流路の少なくとも１つのチャネルの上方を横断し、該第１及び第２段の少なくとも一方を規定する面上への該第１流路の該チャネルの垂直投影と、該第２流路の該チャネルの垂直投影とが少なくとも部分的に重なり合う、微量流体ネットワーク。
【請求項５】  請求項１に記載の微量流体ネットワークにおいて、
該ポリマー構造物がエラストマー材料で形成される、微量流体ネットワーク。
【請求項６】  請求項５に記載の微量流体ネットワークにおいて、
該エラストマー材料がシリコーンポリマーを備える、微量流体ネットワーク。
【請求項７】  請求項６に記載の微量流体ネットワークにおいて、
該シリコーンポリマーがポリ（ジメチルシロキサン）を備える、微量流体ネットワーク。
【請求項８】  請求項１に記載の微量流体ネットワークにおいて、
該構造物がポリマー材料の少なくとも１つの分離層で構成される、微量流体ネットワーク。
【請求項９】  請求項８に記載の微量流体ネットワークにおいて、
該構造物が、ポリマー材料の少なくとも２つの分離層で構成され、各層が少なくとも１つのチャネルを含み、該層が相互に段積みされる、微量流体ネットワーク。
【請求項１０】  請求項９に記載の微量流体ネットワークにおいて、
該構造物の第１分離層が、該構造物の該第１段を規定しかつ少なくとも１つの第１チャネルが配置された面を含み、さらに該層の厚みを横切って少なくとも１つの接続チャネルを形成する少なくとも１つのチャネルを含み、かつ該構造物の第２分離層が、該構造物の第２段を規定しかつ少なくとも１つの第２チャネルが配置された面を含む、微量流体ネットワーク。
【請求項１１】  請求項９に記載の微量流体ネットワークにおいて、
該構造物が、ポリマー材料の少なくとも３つの分離層で構成され、該構造物の第１分離層が、該構造物の第１段を規定しかつ該層に配置された少なくとも１つの第１チャネルを有し、該構造物の第２分離層が、該層の厚みを横切って該少なくとも１つの接続チャネルを形成する少なくとも１つのチャネルを含み、該構造物の第３分離層が、該構造物の第３段を規定しかつ該層に配置された該少なくとも１つの第２チャネルを有する、微量流体ネットワーク。
【請求項１２】  請求項９に記載の微量流体ネットワークにおいて、
該少なくとも２つの分離層のそれぞれが該分離層の他方と形状適合接触する、微量流体ネットワーク。
【請求項１３】  請求項９に記載の微量流体ネットワークにおいて、
該少なくとも２つの分離層のそれぞれが該分離層の他方に不可逆的に固着される、微量流体ネットワーク。
【請求項１４】  請求項８に記載の微量流体ネットワークにおいて、
該少なくとも１つの分離層がポリマー膜を備え、該ポリマー膜が、該構造物の該第１段を規定しかつ少なくとも１つの第１チャネルが配置された第１面と、該構造物の該第２段を規定しかつ少なくとも１つの第２チャネルが配置された第２面と、該第１面及び該第２面の中間のポリマー領域とを含み、該領域が、該領域を貫通して該膜の該第１面に配置された該第１チャネルと該第２面に配置された該第２チャネルとを相互流体接続する該少なくとも１つの接続チャネルを含む、微量流体ネットワーク。
【請求項１５】  請求項１４に記載の微量流体ネットワークにおいて、
該ポリマー膜の少なくとも該第１面が基板の面と形状適合接触する、微量流体ネットワーク。
【請求項１６】  請求項１５に記載の微量流体ネットワークにおいて、
該ポリマー膜の該第１面が該基板の該面に不可逆的に固着される、微量流体ネットワーク。
【請求項１７】  請求項１５に記載の微量流体ネットワークにおいて、
該基板が該ポリマー膜を形成するのと同一の材料から形成される、微量流体ネットワーク。
【請求項１８】  請求項１５に記載の微量流体ネットワークにおいて、
該基板の該面が本質的に平面である、微量流体ネットワーク。
【請求項１９】  請求項１５に記載の微量流体ネットワークにおいて、
該基板の該面が湾曲している、微量流体ネットワーク。
【請求項２０】  請求項１５に記載の微量流体ネットワークにおいて、
該ポリマー膜の第１面が第１基板の面と形状適合接触し、該ポリマー膜の該第２面が第２基板の面と形状適合接触する、微量流体ネットワーク。
【請求項２１】  請求項２０に記載の微量流体ネットワークにおいて、
該第１及び第２基板が異なった材料から形成される、微量流体ネットワーク。
【請求項２２】  請求項２０に記載の微量流体ネットワークにおいて、
該第１及び第２基板が同一の材料から形成される、微量流体ネットワーク。
【請求項２３】  請求項２２に記載の微量流体ネットワークにおいて、
該第１及び第２基板を形成する該材料が該ポリマー膜を形成する材料と同一である、微量流体ネットワーク。
【請求項２４】  請求項２０に記載の微量流体ネットワークにおいて、
該ポリマー膜の該第１面が該第１基板の該面に不可逆的に固着される、微量流体ネットワーク。
【請求項２５】  請求項２４に記載の微量流体ネットワークにおいて、
該ポリマー膜の該第２面が該第２基板の該面に不可逆的に固着される、微量流体ネットワーク。
【請求項２６】  請求項１４に記載の微量流体ネットワークにおいて、
該微量流体ネットワークが複数の分離層を備え、該複数の分離層が相互に段積みされた複数のポリマー膜を備える、微量流体ネットワーク。
【請求項２７】  請求項１に記載の微量流体ネットワークにおいて、
該構造物内の少なくとも１つのチャネルが約２５０μｍを超えない断面寸法を有する、微量流体ネットワーク。
【請求項２８】  請求２７項に記載の微量流体ネットワークにおいて、
該構造物内の少なくとも１つのチャネルが約１００μｍを超えない断面寸法を有する、微量流体ネットワーク。
【請求項２９】  請求項２８に記載の微量流体ネットワークにおいて、
該構造物内の少なくとも１つのチャネルが約５０μｍを超えない断面寸法を有する、微量流体ネットワーク。
【請求項３０】  請求項２９に記載の微量流体ネットワークにおいて、
該構造物内の少なくとも１つのチャネルが約２０μｍを超えない断面寸法を有する、微量流体ネットワーク。
【請求項３１】  微量流体ネットワークであって、
少なくとも１つの流体流路を含むエラストマー製構造物を備え、該流路が該構造物内に一連の相互接続されたチャネルを備え、該一連の相互接続されたチャネルが、該構造物の第１段内に配置された少なくとも１つの第１チャネルと、該構造物の第２段内に配置された少なくとも１つの第２チャネルと、該第１チャネル及び該第２チャネルを相互流体接続する少なくとも１つの接続チャネルとを含み、
該構造物内の少なくとも１つのチャネルが約５００μｍを超えない断面寸法を有し、
該構造物が、該構造物の該第１段内に配置されて該構造物の第２段内に配置された少なくとも１つのチャネルと非平行の少なくとも１つのチャネルを含み、
該構造物がポリマー材料の少なくとも１つの分離層で構成され、
該少なくとも１つの分離層がポリマー膜を備え、該ポリマー膜が、該構造物の該第１段を規定しかつ該少なくとも１つの第１チャネルが配置された第１面と、該構造物の該第２段を規定しかつ該少なくとも１つの第２チャネルが配置された第２面と、該第１面及び該第２面の間のポリマー領域とを含み、該領域が、該領域を貫通して該膜の該第１面に配置された該第１チャネルと該第２面に配置された該第２チャネルとを相互流体接続する該少なくとも１つの接続チャネルを含む、微量流体ネットワーク。
【請求項３２】  請求項３１に記載の微量流体ネットワークにおいて、
該構造物内の少なくとも１つのチャネルが約２５０μｍを超えない断面寸法を有する、微量流体ネットワーク。
【請求項３３】  請求３２項に記載の微量流体ネットワークにおいて、
該構造物内の少なくとも１つのチャネルが約１００μｍを超えない断面寸法を有する、微量流体ネットワーク。
【請求項３４】  請求項３３に記載の微量流体ネットワークにおいて、
該構造物内の少なくとも１つのチャネルが約５０μｍを超えない断面寸法を有する、微量流体ネットワーク。
【請求項３５】  請求項３４に記載の微量流体ネットワークにおいて、
該構造物内の少なくとも１つのチャネルが約２０μｍを超えない断面寸法を有する、微量流体ネットワーク。
【請求項３６】  請求項３１に記載の微量流体ネットワークにおいて、
該構造物が相互に段積みされた複数のポリマー膜を備える、微量流体ネットワーク。
【請求項３７】  ポリマー膜であって、
少なくとも１つのチャネルが配置された第１面と、
少なくとも１つのチャネルが配置された第２面と、
該第１面及び該第２面の間のポリマー領域とを備え、該領域が、該領域を貫通して該膜の該第１面に配置された該チャネルと、該第２面に配置された該チャネルとを相互流体接続する少なくとも１つの接続チャネルを含み、
少なくとも１つのチャネルが約５００μｍを超えない断面寸法を有する、ポリマー膜。
【請求項３８】  請求項３７に記載のポリマー膜において、
該ポリマー膜の少なくとも該第１面が基板の面と形状適合接触する、ポリマー膜。
【請求項３９】  請求項３８に記載のポリマー膜において、
該ポリマー膜の該第１面が該基板の該面に不可逆的に固着される、ポリマー膜。
【請求項４０】  請求項３８に記載のポリマー膜において、
該基板が該ポリマー膜を形成するのと同一の材料から形成される、ポリマー膜。
【請求項４１】  請求項３８に記載のポリマー膜において、
該基板の該面が本質的に平面である、ポリマー膜。
【請求項４２】  請求項３８に記載のポリマー膜において、
該基板の該面が少なくとも１つのトポロジー特徴を含む、ポリマー膜。
【請求項４３】  請求項４２に記載のポリマー膜において、
該基板の該面の該少なくとも１つのトポロジー特徴が該ポリマー膜の該第１面のトポロジー特徴と嵌合可能に形づくられる、ポリマー膜。
【請求項４４】  請求項３８に記載のポリマー膜において、
該ポリマー膜の該第１面が第１基板の面と形状適合接触し、該ポリマー膜の該第２面が第２基板の面と形状適合接触する、ポリマー膜。
【請求項４５】  請求項４４に記載のポリマー膜において、
該第１及び第２基板が異なった材料から形成される、ポリマー膜。
【請求項４６】  請求項４４に記載のポリマー膜において、
該第１及び第２基板が同一の材料から形成される、ポリマー膜。
【請求項４７】  請求項４６に記載のポリマー膜において、
該第１及び第２基板を形成する材料が該ポリマー膜を形成する材料と同一である、ポリマー膜。
【請求項４８】  請求項３７に記載のポリマー膜において、
該ポリマー膜が相互に段積みされた複数の分離層の１つを形成する、ポリマー膜。
【請求項４９】  請求項３７に記載のポリマー膜において、
該膜内の少なくとも１つのチャネルが約２５０μｍを超えない断面寸法を有する、ポリマー膜。
【請求項５０】  請求４９項に記載のポリマー膜において、
該膜内の少なくとも１つのチャネルが約１００μｍを超えない断面寸法を有する、ポリマー膜。
【請求項５１】  請求項５０に記載のポリマー膜において、
該膜内の少なくとも１つのチャネルが約５０μｍを超えない断面寸法を有する、ポリマー膜。
【請求項５２】  請求項５１に記載のポリマー膜において、
該膜内の少なくとも１つのチャネルが約２０μｍを超えない断面寸法を有する、ポリマー膜。
【請求項５３】  微量流体ネットワークであって、
ポリマー構造物を備え、該ポリマー構造物が少なくとも第１及び第２の相互流体接続されていない流体流路を含み、該第１流路が第１平面内に配置された少なくとも２つの非共直線の相互接続されたチャネルを備え、該第２流路が、該第１平面と非平行の第２平面内に配置された少なくとも１つのチャネルを備え、かつ該構造物内の少なくとも１つのチャネルが約５００μｍを超えない断面寸法を有する、微量流体ネットワーク。
【請求項５４】  請求項５３に記載の微量流体ネットワークにおいて、
該第２流路が該第２平面を規定する少なくとも２つの非共直線の相互接続されたチャネルを備える、微量流体ネットワーク。
【請求項５５】  請求項５３に記載の微量流体ネットワークにおいて、
該第１及び第２流路の少なくとも一方が、相互接続された少なくとも第１、第２及び第３チャネルを備え、該第１及び第２チャネルが、該第３チャネルにより交差される平面を共に規定する、微量流体ネットワーク。